(57)【要約】【課題】ＤＦＤ方式の３次元表示装置を搭載した携帯型端末に、立体コンテンツを配信することが可能な３次元映像情報配信システムを提供する。【解決手段】携帯型端末と、携帯型端末と無線ネットワークを介して相互に接続される無線センターと、無線センターとネットワークを介して相互に接続されるとともに、表示対象物体の３次元映像情報を格納するデータベースを有する立体コンテンツ配信センターとを備え、携帯型端末は、複数の表示手段と、立体コンテンツ配信センターから無線センターを介して３次元映像情報を受信する受信手段と、受信した３次元映像情報に基づき各表示手段に表示する２次元像を生成し、各表示手段に表示する２次元射影像生成手段とを有し、２次元射影像手段で生成される２次元像は、表示対象物体の射影像であって、輝度あるいは透過度が各表示装置毎にそれぞれ独立に変化させた２次元像である。【選択図】        図１
2004282462.tif 000002
【特許請求の範囲】
【請求項１】
携帯型端末と、
前記携帯型端末と無線ネットワークを介して相互に接続される無線センターと、
前記無線センターとネットワークを介して相互に接続されるとともに、表示対象物体の３次元映像情報を格納するデータベースを有する立体コンテンツ配信センターとを備える３次元映像情報配信システムであって、
前記携帯型端末は、複数の表示手段と、
前記立体コンテンツ配信センターから前記無線センターを介して前記３次元映像情報を受信する受信手段と、
前記受信した３次元映像情報に基づき、前記各表示手段に表示する２次元像を生成し、前記各表示手段に表示する２次元射影像生成手段とを有し、
前記２次元射影像手段で生成される２次元像は、前記表示対象物体の射影像であって、輝度あるいは透過度が各表示装置毎にそれぞれ独立に変化させた２次元像であることを特徴とする３次元映像情報配信システム。
【請求項２】
携帯型端末と、
前記携帯型端末と無線ネットワークを介して相互に接続される無線センターと、
前記無線センターとネットワークを介して相互に接続されるとともに、表示対象物体の３次元映像情報を格納するデータベースを有する立体コンテンツ配信センターとを備える３次元映像情報配信システムであって、
前記無線センターは、前記立体コンテンツ配信センターから前記３次元映像情報を受信する受信手段と、
前記受信した３次元映像情報に基づき、前記表示対象物体の射影像であって、輝度あるいは透過度をそれぞれ独立に変化させた複数の２次元像を生成する２次元射影像生成手段と、
前記２次元射影像生成手段で生成した複数の２次元像を、前記携帯型端末に対して送信する送信手段とを有し、
前記携帯型端末は、複数の表示手段と、
前記無線センターから前記複数の２次元像を受信する受信手段と、
前記受信した複数の２次元像を、前記各表示手段に表示する処理手段とを有することを特徴とする３次元映像情報配信システム。
【請求項３】
携帯型端末と、
前記携帯型端末と無線ネットワークを介して相互に接続される無線センターと、
前記無線センターとネットワークを介して相互に接続されるとともに、表示対象物体の３次元映像情報を格納するデータベースを有する立体コンテンツ配信センターとを備える３次元映像情報配信システムであって、
前記立体コンテンツ配信センターは、前記データベースに格納された３次元映像情報に基づき、前記表示対象物体の射影像であって、輝度あるいは透過度をそれぞれ独立に変化させた複数の２次元像を生成する２次元射影像生成手段と、
前記２次元射影像生成手段で生成された複数の２次元像を、前記無線センターを介して前記携帯型端末に対して送信する送信手段とを有し、
前記携帯型端末は、複数の表示手段と、
前記立体コンテンツ配信センターから送信された前記複数の２次元像を受信する受信手段と、
前記受信した複数の２次元像を、前記各表示手段に表示する処理手段とを有することを特徴とする３次元映像情報配信システム。
【請求項４】
携帯型端末と、
前記携帯型端末と無線ネットワークを介して相互に接続されるとともに、表示対象物体の３次元映像情報を格納するデータベースを有する無線センターとを備える３次元映像情報配信システムであって、
前記携帯型端末は、複数の表示手段と、
前記無線センターから前記３次元映像情報を受信する受信手段と、
前記受信した３次元映像情報に基づき、前記各表示手段に表示する２次元像を生成し、前記各表示手段に表示する２次元射影像生成手段とを有し、
前記２次元射影像手段で生成される２次元像は、前記表示対象物体の射影像であって、輝度あるいは透過度が各表示装置毎にそれぞれ独立に変化させた２次元像であることを特徴とする３次元映像情報配信システム。
【請求項５】
携帯型端末と、
前記携帯型端末と無線ネットワークを介して相互に接続されるとともに、表示対象物体の３次元映像情報を格納するデータベースを有する無線センターとを備える３次元映像情報配信システムであって、
前記無線センターは、前記データベースに格納された３次元映像情報に基づき、前記表示対象物体の射影像であって、輝度あるいは透過度をそれぞれ独立に変化させた複数の２次元像を生成する２次元射影像生成手段と、
前記２次元射影像生成手段で生成された複数の２次元像を、前記携帯型端末に対して送信する送信手段とを有し、
前記携帯型端末は、複数の表示手段と、
前記無線センターから前記複数の２次元像を受信する受信手段と、
前記受信した複数の２次元像を、前記各表示手段に表示する処理手段とを有することを特徴とする３次元映像情報配信システム。
【請求項６】
前記３次元映像情報は、２次元のテクスチャ画像と、前記テクスチャ画像の各画素毎に付加される奥行き情報とで構成されることを特徴とする請求項１ないし請求項５のいずれか１項に記載の３次元映像情報配信システム。
【請求項７】
前記ネットワーク上を伝送される前記３次元映像情報は、２次元のテクスチャ画像と、前記テクスチャ画像の各画素毎に付加される奥行き情報とで構成され、
前記ネットワークを介して伝送される前記奥行き情報のデータ量を、前記ネットワークを介して伝送される前記２次元のテクスチャ画像の各色毎のデータ量よりも少なくしたことを特徴とする請求項１または請求項２に記載の３次元映像情報配信システム。
【請求項８】
前記無線ネットワーク上を伝送される前記３次元映像情報は、２次元のテクスチャ画像と、前記テクスチャ画像の各画素毎に付加される奥行き情報とで構成され、
前記無線ネットワークを介して伝送される前記奥行き情報のデータ量を、前記無線ネットワークを介して伝送される前記２次元のテクスチャ画像の各色毎のデータ量よりも少なくしたことを特徴とする請求項１または請求項４に記載の３次元映像情報配信システム。
【発明の詳細な説明】
【０００１】
【発明の属する技術分野】
本発明は、３次元映像情報配信システムに係わり、特に、携帯型端末に対して立体コンテンツを配信する３次元映像情報配信システムに関する。
【０００２】
【従来の技術】
本発明者らは、立体視の生理的要因間での矛盾を抑制でき、かつ簡便に、眼鏡を用いないで３次元立体像が表示可能な、ＤＦＤ（Ｄｅｐｔｈ  Ｆｕｓｅｄ  ３Ｄ）方式の３次元表示装置を提案している（例えば、特許文献１、２参照）。
前述した提案済みの３次元表示装置は、複数の表示面に２Ｄ化像を表示し、この複数の表示面に表示される２Ｄ化像の、輝度あるいは透過度を各表示面毎に変化させて３次元立体像を表示するものである。なお、このＤＦＤ方式の３次元表示装置の表示原理については後述する。
【０００３】
なお、本願発明に関連する先行技術文献としては以下のものがある。
【特許文献１】
特許第３０２２５５８号公報
【特許文献２】
特願２０００−１２４０３６号
【０００４】
【発明が解決しようとする課題】
携帯型端末（例えば、携帯電話機）に、前述したＤＦＤ方式の３次元表示装置（例えば、前面の表示面と後面の表示面を有する３次元表示装置）を搭載し、かつ、立体コンテンツを当該携帯型端末に配信することにより、携帯型端末において、静止画あるいは動画の３次元立体像を観察することが可能である。
しかしながら、このような立体コンテンツを携帯型端末に配信するシステムは、従来知られておらず、前述したＤＦＤ方式の３次元表示装置を携帯型端末に搭載したとしても、携帯型端末において、静止画あるいは動画の３次元立体像を観察することができなかった。
本発明は、前記従来技術の問題点を解決するためになされたものであり、本発明の目的は、ＤＦＤ方式の３次元表示装置を搭載した携帯型端末に、立体コンテンツを配信することが可能な３次元映像情報配信システムを提供することにある。
本発明の前記ならびにその他の目的と新規な特徴は、本明細書の記述及び添付図面によって明らかにする。
【０００５】
【課題を解決するための手段】
本願において開示される発明のうち、代表的なものの概要を簡単に説明すれば、下記の通りである。
本発明は、携帯型端末と、前記携帯型端末と無線ネットワークを介して相互に接続される無線センターと、前記無線センターとネットワークを介して相互に接続されるとともに、表示対象物体の３次元映像情報を格納するデータベースを有する立体コンテンツ配信センターとを備える３次元映像情報配信システムであって、前記携帯型端末は、複数の表示装置を有し、当該複数の表示装置に、前記表示対象物体の射影像であって、輝度あるいは透過度が各表示装置毎にそれぞれ独立に変化させた２次元像を表示する。
そして、前記立体コンテンツ配信センターの前記データベースに格納された３次元映像情報に基づき、前記表示対象物体の射影像であって、輝度あるいは透過度をそれぞれ独立に変化させた複数の２次元像を生成する２次元射影像生成手段を、前記携帯型端末、または、前記無線センター、あるいは、前記立体コンテンツ配信センターに配置する。
【０００６】
また、本発明は、携帯型端末と、前記携帯型端末と無線ネットワークを介して相互に接続されるとともに、表示対象物体の３次元映像情報を格納するデータベースを有する無線センターとを備える３次元映像情報配信システムであって、前記携帯型端末は、複数の表示装置を有し、当該複数の表示装置に、前記表示対象物体の射影像であって、輝度あるいは透過度が各表示装置毎にそれぞれ独立に変化させた２次元像を表示する。
そして、前記無線センターの前記データベースに格納された３次元映像情報に基づき、前記表示対象物体の射影像であって、輝度あるいは透過度をそれぞれ独立に変化させた複数の２次元像を生成する２次元射影像生成手段を、前記携帯型端末、あるいは、前記無線センターに配置する。
【０００７】
また、本発明では、前記３次元映像情報が、２次元のテクスチャ画像と、前記テクスチャ画像の各画素毎に付加される奥行き情報とで構成される。
また、本発明では、前記無線ネットワーク、あるいは、前記ネットワーク上を伝送される前記３次元映像情報は、２次元のテクスチャ画像と、前記テクスチャ画像の各画素毎に付加される奥行き情報とで構成され、前記ネットワークを介して伝送される前記奥行き情報のデータ量を、前記ネットワークを介して伝送される前記２次元のテクスチャ画像の各色毎のデータ量よりも少なくする。
【０００８】
【発明の実施の形態】
以下、図面を参照して本発明の実施の形態を詳細に説明する。
なお、実施の形態を説明するための全図において、同一機能を有するものは同一符号を付け、その繰り返しの説明は省略する。
［本発明の基本となる３次元表示装置の表示原理］
図９は、本発明の基本となる３次元表示装置の概略構成を示す図であり、前述の特許文献１に図１として図示されている３次元表示装置である。
同図に示す３次元表示装置は、観察者１００の前面に複数の表示面、例えば、表示面（１０１，１０２）（表示面１０１が表示面１０２より観察者１００に近い）を設定し、これらの表示面（１０１，１０２）に複数の２次元像を表示するために、２次元表示装置と種々の光学素子を用いて光学系１０３を構築する。
以下、図９ないし図１４を用いて、本発明の基本となる３次元表示装置の表示原理について説明する。
図１０に示すように、観察者１００に提示したい３次元物体１０４を、観察者１００の両眼の視線方向から、前述の表示面（１０１，１０２）へ射影した像（以下、「２Ｄ化像」と呼ぶ）（１０５，１０６）を生成する。
【０００９】
この２Ｄ化像の生成方法としては、例えば、視線方向から物体１０４をカメラで撮影した２次元像を用いる方法、あるいは別の方向から撮影した複数枚の２次元像から合成する方法、あるいはコンピュータグラフィックによる合成技術やモデル化を用いる方法など種々の方法がある。
そして、図９に示すように、前記２Ｄ化像（１０５，１０６）を、各々表示面１０１と表示面１０２の双方に、観察者１００の右眼と左眼とを結ぶ線上の一点から見て重なるように表示する。
これは、例えば、２Ｄ化像（１０５，１０６）の各々の中心位置や重心位置の配置と、各々の像の拡大・縮小を制御することで可能となる。
本発明の基本となる３次元表示装置の重要な要点は、前記構成を有する装置上で、２Ｄ化像（１０５，１０６）の各々の輝度を、観察者１００から見た総体的な輝度を一定に保ちつつ、３次元物体１０４の奥行き位置に対応して変えることである。
【００１０】
その変え方の一例を以下に述べる。なお、ここでは、白黒図面であるため、分かりやすいように、以下の図面では輝度の高い方を濃く示してある。
例えば、３次元物体１０４が表示面１０１上にある場合には、図１１に示すように、この上の２Ｄ化像１０５の輝度を３次元物体１０４の輝度に等しくし、表示面１０２上の２Ｄ化像１０６の輝度はゼロとする。
次に、例えば、３次元物体１０４が観察者１００より少し遠ざかって表示面１０１より表示面１０２側に少し寄った位置にある場合には、図１２に示すように、２Ｄ化像１０５の輝度を少し下げ、２Ｄ化像１０６の輝度を少し上げる。
さらに、例えば、３次元物体１０４が観察者１００よりさらに遠ざかって表示面１０１より表示面１０２側にさらに寄った位置にある場合には、図１３に示すように、２Ｄ化像１０５の輝度をさらに下げ、２Ｄ化像１０６の輝度をさらに上げる。
【００１１】
遂に、例えば、３次元物体１０４が表示面１０２上にある場合には、図１４に示すように、この上の２Ｄ化像１０６の輝度を３次元物体１０４の輝度に等しくし、表示面１０１上の２Ｄ化像１０５の輝度はゼロとする。
このように表示することにより、観察者（人）１００の生理的あるいは心理的要因あるいは錯覚により、表示しているのが２Ｄ化像（１０５，１０６）であっても、観察者１００にはあたかも表示面（１０１，１０２）の中間に３次元物体１０４が位置しているように感じられる。
即ち、例えば、表示面（１０１，１０２）にほぼ等輝度の２Ｄ化像（１０５，１０６）を表示した場合には、表示面（１０１，１０２）の奥行き位置の中間付近に３次元物体１０４があるように感じられる。
前述した表示面に２次元像を表示するための２次元表示装置としては、例えば、ＣＲＴ、液晶ディスプレイ、ＬＥＤディスプレイ、ＥＬディスプレイ、プラズマディスプレイ、ＦＥＤディスプレイ、プロジェクション型ディスプレイ、線描画型ディスプレイなどを用い、光学素子としては、例えば、レンズ、全反射鏡、部分反射鏡、曲鏡、プリズム、偏光素子、波長板などを用いる。
【００１２】
［実施の形態１］
図１は、本発明の実施の形態１の３次元映像情報配信システムの概略構成を示すブロック図である。
図１に示すように、本実施の形態の３次元映像情報配信システムは、携帯電話機１０と、携帯電話機１０と無線ネットワークを介して相互に接続される無線センター２０と、無線センター２０とネットワークを介して相互に接続される立体コンテンツ配信センター３０とで構成される。
ここで、立体コンテンツ配信センター３０は、立体コンテンツとして、表示対象物体の３次元映像情報を格納するデータベース３１を備える。
図２は、図１に示す立体コンテンツ配信センター３０のデータベース３１に格納される３次元映像情報を説明するための模式図である。
同図に示すように、本実施の形態において、立体コンテンツ配信センター３０のデータベース３１に格納される３次元映像情報は、２次元のテクスチャ画像（Ｒ、Ｇ，Ｂの輝度情報）と、テクスチャ画像の各画素毎に付加される奥行き情報（Ｚ情報）とから構成される。
なお、この奥行き情報（Ｚ情報）は、視線方向から３次元物体１０４をカメラで撮影する際に、カメラ位置から３次元物体１０４までの距離を、距離測定装置で測定し、その距離データに基づき生成することができる。
【００１３】
そして、この２次元のテクスチャ画像（Ｒ、Ｇ，Ｂの輝度情報）と、テクスチャ画像の各画素毎に付加される奥行き情報（Ｚ情報）とが、立体コンテンツ配信センター３０から、無線センター２０を介して帯電話機１０に対して送信される。
図３は、図１に示す携帯電話機１０の一例の概略構成を示す断面図である。
図３に示す携帯電話機１０は、３次元表示装置として、第１の表示装置１１と第２の表示装置１２とを有し、この２つの表示装置（１１，１２）は、前述の表示面（１０１，１０２）を構成する。
そして、この２つの表示装置（１１，１２）に、前述した２Ｄ化像（１０５，１０６）を表示することにより、３次元立体像を表示する。ここで、この２つの表示装置（１１，１２）には、ＥＬディスプレイ、液晶ディスプレイなどが使用される。
図４は、図３に示す携帯電話機１０の内部構成を示す機能ブロック図である。なお、図４では、前述した２Ｄ化像（１０５，１０６）を生成するための内部構成のみを図示し、その他の部分の内部構成の図示は省略する。
図４に示すように、図３に示す携帯電話機１０では、立体コンテンツ配信センター３０から送信される２次元のテクスチャ画像（Ｒ、Ｇ，Ｂの輝度情報）と、テクスチャ画像の各画素毎に付加される奥行き情報（Ｚ情報）とを、受信部１５で受信し、映像変換部１６において、受信した２次元のテクスチャ画像（Ｒ、Ｇ，Ｂの輝度情報）と、テクスチャ画像の各画素毎に付加される奥行き情報（Ｚ情報）とから、２Ｄ化像（１０５，１０６）を生成し、第１および第２の表示装置（１１，１２）に表示する。
【００１４】
以下、図４に示す映像変換部１６の処理について説明する。
前述したように、本発明の基本となる３次元表示装置の重要な要点は、２Ｄ化像（１０５，１０６）の各々の輝度を、観察者１００から見た総体的な輝度を一定に保ちつつ、３次元物体１０４の奥行き位置に対応して変えることである。
したがって、映像変換部１６において、立体コンテンツ配信センター３０から送信される奥行き情報（Ｚ）に応じて、２次元のテクスチャ画像（Ｒ、Ｇ，Ｂの輝度情報）の輝度（あるいは、透過度）を２つに分配して、２つの２次元画像を生成することにより、２Ｄ化像（１０５，１０６）を生成することができる。
例えば、第１および第２の表示装置（１１，１２）の奥行き位置の中間に３次元物体１０４がある場合、立体コンテンツ配信センター３０から、奥行き情報（Ｚ情報）として、第１および第２の表示装置（１１，１２）の奥行き位置の中間位置のデータを、携帯電話機１０に対して送信する。
携帯電話機１０の映像変換部１６では、当該奥行き情報（Ｚ情報）に基づき、受信した輝度情報を一対一に分割して、２つの２次元画像を生成し、第１および第２の表示装置（１１，１２）にほぼ等輝度の２Ｄ化像（１０５，１０６）を表示する。
これにより、観察者には、第１および第２の表示装置（１１，１２）の奥行き位置の中間付近に３次元物体１０４があるように、３次元立体像が観察される。
【００１５】
なお、本実施の形態において、映像変換部１６は、無線センター２０あるいは立体コンテンツ配信センター３０の内部に設けるようにしてもよい。
映像変換部１６を、無線センター２０の内部に設けた場合には、無線センター２０から携帯電話機１０に対して送信される３次元映像情報は、第１の表示装置１１に表示される２Ｄ化像１０５と、第２の表示装置１２に表示される２Ｄ化像１０６となる。
同様に、映像変換部１６を、立体コンテンツ配信センター３０の内部に設けた場合には、立体コンテンツ配信センター３０から無線センター２０、並びに、無線センター２０から携帯電話機１０に対して送信される３次元映像情報は、第１の表示装置１１に表示される２Ｄ化像１０５と、第２の表示装置１２に表示される２Ｄ化像１０６となる。
【００１６】
図５（ａ）は、無線センター２０の内部に映像変換部１６を設けた場合に、ネットワーク上を伝送されるデータ量を説明するための模式図、図５（ｂ）は、立体コンテンツ配信センター３０の内部に映像変換部１６を設けた場合に、ネットワーク上を伝送されるデータ量を説明するための模式図である。
図６は、携帯電話機１０の内部に映像変換部１６を設けた場合に、ネットワーク上を伝送されるデータ量を説明するための模式図である。
例えば、（２次元のテクスチャ画像（Ｒ、Ｇ，Ｂの輝度情報）と、奥行き情報（Ｚ情報）とが同じビット数であるとすると、図６に示すように、携帯電話機１０の内部に映像変換部１６を設けた場合に、ネットワーク上を伝送されるデータ量は、２次元のテクスチャ画像と、奥行き情報とでよいので、図５に示すように、無線センター２０あるいは立体コンテンツ配信センター３０の内部に映像変換部１６を設けた場合に、ネットワーク上を伝送されるデータ量を２／３に減少することができる。
【００１７】
以下、本実施の形態において、ネットワーク上を伝送されるデータ量を削減する方法について説明する。
前述したように、立体コンテンツ配信センター３０のデータベース３１に格納される３次元映像情報は、２次元のテクスチャ画像（Ｒ、Ｇ，Ｂの輝度情報）と、奥行き情報（Ｚ情報）とで構成されるが、奥行き情報（Ｚ情報）は、第１の表示装置１１に表示される２Ｄ化像１０５、および、第２の表示装置１２に表示される２Ｄ化像１０６の画質に与える影響は少ない。
そこで、図７に示すように、ネットワークを介して伝送される奥行き情報（Ｚ情報）のデータ量を、ネットワークを介して伝送されるテクスチャ画像の各色（Ｒ、Ｇ，Ｂ）毎のデータ量よりも少なくし、即ち、２次元のテクスチャ画像（Ｒ、Ｇ，Ｂ）に比して、奥行き情報（Ｚ情報）を大幅に圧縮して伝送することにより、ネットワーク上を伝送されるデータ量を削減することができる。
その方法としては、以下の方法がある。
【００１８】
（１）例えば、２次元のテクスチャ画像のＲ、Ｇ，Ｂを、それぞれ８ビットし、Ｚ情報を４ビットして、伝送される３次元映像データの全体のデータ量を少なくする方法。
（２）例えば、２次元のテクスチャ画像の８ビットのＲ、Ｇ，Ｂを、従来の画像圧縮技術を用いて圧縮し、Ｚ情報は４ビットにする方法。
（３）Ｚ情報のみ、従来の圧縮技術を用いて圧縮し、かなり高い圧縮を行う方法。
（４）従来の画像圧縮技術を用いて、２次元のテクスチャ画像のＲ、Ｇ，Ｂは画質に影響が少ない程度に低圧縮し、Ｚ情報は、従来の圧縮技術を用いて高圧縮する方法。
前述した方法により、表示される３次元立体像の画質に影響を与えることなく、ネットワーク上を伝送されるデータ量を大幅に圧縮することができる。
【００１９】
［実施の形態２］
図８は、本発明の実施の形態２の３次元映像情報配信システムの概略構成を示すブロック図である。
図８に示すように、本実施の形態の３次元映像情報配信システムは、携帯電話機１０と、携帯電話機１０と無線ネットワークを介して相互に接続される無線センター２０とで構成される。
ここで、無線センター２０は、立体コンテンツとして、表示対象物体の３次元映像情報を格納するデータベース３１を備える。
また、前述の映像変換部１６は、携帯電話機１０、あるいは、無線センター２０に設けられる。
本実施の形態の３次元映像情報配信システムは、立体コンテンツ配信センター３０を省略し、無線センター２０から携帯電話機１０に対して、３次元映像情報を配信するようにした点で、前述の実施の形態の３次元映像情報配信システムと相異するが、その他の構成は、前述の実施の形態の３次元映像情報配信システムと同じであるので再度の説明は省略する。
【００２０】
なお、前述の説明では、携帯電話機１０に搭載される表示装置は、２つの場合について説明したが、携帯電話機１０に搭載される表示装置は、３以上であってもよい。
さらに、携帯型端末として、携帯電話機１０を使用する場合について説明したが、本発明はこれに限定されるものではなく、携帯型端末として、ＰＤＡ（Ｐｅｒｓｏｎａｌ  Ｄｉｇｉｔａｌ  Ａｓｓｉｓｔａｎｔ）を使用することも可能である。また、前述の説明では、例えば、３次元物体全体の奥行き位置を、第１の表示装置１１と第２の表示装置１２とに表示される２Ｄ化像を用いて表現する場合について主に述べたが、図３に示す３次元表示装置１０は、前述の各特許文献に記載したように、３次元物体自体が有する奥行きを表現する装置としても使用できる。
同様に、図３に示す３次元表示装置１０は、前述の各特許文献に記載したように、３次元物体自体が移動する場合にも使用できる。
２Ｄ化像が３次元的に移動する場合、左右・上下方向への移動に関しては通常の２次元表示装置の場合と同様に表示装置での動画再生によって可能であり、奥行き方向への移動に関しては、前述の各特許文献に記載したように、第１の表示装置１１と、第２の表示装置１２に表示される２Ｄ化像の輝度（あるいは、透過度）の変化を時間的に行うことで、３次元像の動画を表現することができる。
以上、本発明者によってなされた発明を、前記実施の形態に基づき具体的に説明したが、本発明は、前記実施の形態に限定されるものではなく、その要旨を逸脱しない範囲において種々変更可能であることは勿論である。
【００２１】
【発明の効果】
本願において開示される発明のうち代表的なものによって得られる効果を簡単に説明すれば、下記の通りである。
本発明の３次元映像情報配信システムによれば、ＤＦＤ方式の３次元表示装置を搭載した携帯型端末に、立体コンテンツを配信することが可能となる。
【図面の簡単な説明】
【図１】本発明の実施の形態１の３次元映像情報配信システムの概略構成を示すブロック図である。
【図２】図１に示す立体コンテンツ配信センターのデータベースに格納される３次元映像情報を説明するための模式図である。
【図３】図１に示す携帯電話機の一例の概略構成を示す断面図である。
【図４】図３に示す携帯電話機の内部構成を示す機能ブロック図である。
【図５】図１に示す無線センターあるいは立体コンテンツ配信センターの内部に映像変換部を設けた場合に、ネットワーク上を伝送されるデータ量を説明するための模式図である。
【図６】図１に示す携帯電話機の内部に映像変換部を設けた場合に、ネットワーク上を伝送されるデータ量を説明するための模式図である。
【図７】本発明の実施の形態１の３次元映像情報配信システムの変形例において、ネットワーク上を伝送されるデータ量を説明するための模式図である。
【図８】本発明の実施の形態２の３次元映像情報配信システムの概略構成を示すブロック図である。
【図９】本発明の基本となる３次元表示装置の概略構成を示す図である。
【図１０】本発明の基本となる３次元表示装置において、各表示面に表示する２Ｄ化像の生成方法を説明するための図である。
【図１１】本発明の基本となる３次元表示装置の表示原理を説明するための図である。
【図１２】本発明の基本となる３次元表示装置の表示原理を説明するための図である。
【図１３】本発明の基本となる３次元表示装置の表示原理を説明するための図である。
【図１４】本発明の基本となる３次元表示装置の表示原理を説明するための図である。
【符号の説明】
１０…携帯電話機、１１，１２…表示装置、１５…受信部、１６…映像変換部、２０…無線センター、３０…立体コンテンツ配信センター、３１…データベース、１００…観察者、１０１，１０２…表示面、１０３…光学系、１０４…３次元物体、１０５，１０６…２Ｄ化像。
【図１】
2004282462.tif 000003
【図２】
2004282462.tif 000004
【図３】
2004282462.tif 000005
【図４】
2004282462.tif 000006
【図５】
2004282462.tif 000007
【図６】
2004282462.tif 000008
【図７】
2004282462.tif 000009
【図８】
2004282462.tif 000010
【図９】
2004282462.tif 000011
【図１０】
2004282462.tif 000012
【図１１】
2004282462.tif 000013
【図１２】
2004282462.tif 000014
【図１３】
2004282462.tif 000015
【図１４】
2004282462.tif 000016